(57)【要約】【課題】  ピッキング等による不法な解錠の防止に役立つ錠と鍵を提供すること。【解決手段】  内部に施錠部１４を備えた筒状の外枠本体１３と、該外枠本体１３内に回転可能に収納され、前記施錠部１４に対応する施錠部４を有し、該施錠部４に達する鍵穴２を形成された回転体１とからなり、前記鍵穴２には、入口３から前記施錠部４に達するまでの間に、該入口３と施錠部４とを結ぶ直線に対して一方に湾曲膨出した曲線状湾曲凹壁面８と、該湾曲凹壁面８の膨出方向に突出する凸壁面５を有している。前記回転体１の鍵穴２に挿入・抜脱可能とされ、前記施錠部４に対応した解錠用機能部１０を備えた鍵本体９からなり、該鍵本体９は、前記鍵穴２の曲線状湾曲凹壁面８に対応する曲線状の湾曲部分を備えている。【選択図】      図１
0003111735.tif 000002
【実用新案登録請求の範囲】
【請求項１】
内部に施錠部（１４）を備えた筒状の外枠本体（１３）と、該外枠本体（１３）内に回転可能に収納され、前記施錠部（１４）に対応する施錠部（４）を有し、該施錠部（４）に達する鍵穴（２）を形成された回転体（１）とからなり、前記鍵穴（２）には、入口（３）から前記施錠部（４）に達するまでの間に、該入口（３）と施錠部（４）とを結ぶ直線に対して一方に湾曲膨出した曲線状湾曲凹壁面（８）と、該湾曲凹壁面８の膨出方向に突出する凸壁面５を有していることを特徴とする錠。
【請求項２】
前記錠の回転体（１）の鍵穴（２）に挿入・抜脱可能とされ、前記施錠部（４）に対応した解錠用機能部（１０）を備えた鍵本体（９）からなり、該鍵本体（９）は、前記鍵穴（２）の曲線状湾曲凹壁面（８）に対応する曲線状の湾曲部分を備えていることを特徴とする鍵。
【請求項３】
前記錠の回転体（１）の鍵穴（２）は、前記入口（３）と前記施錠部（４）の手前までの間の両側壁面に、互いに反対側に突出する凸壁面（５）（７）を備え、これら両方の凸壁面（５）（７）間の一方の壁面に前記曲線状湾曲凹壁面（８）の湾曲膨出方向と逆方向に湾曲膨出して幅広空間（２１）を形成する凹壁面（６）を形成してあることを特徴とする請求項１に記載の錠。
【請求項４】
前記鍵穴（２）は、前記施錠部（４）の手前側で曲線状湾曲凹壁面（８）の途中から該曲線状湾曲凹壁面８の湾曲膨出方向と同方向に膨出するダミー空間（２２）が形成されていることを特徴とする請求項１又は３に記載の錠。
【請求項５】
前記鍵穴（２）は、前記施錠部（４）の手前側で前記凸壁面５の途中から前記ダミー空間（２２）の反対側に膨出する第二ダミー空間（２３）が形成されていることを特徴とする請求項４に記載の錠。
【考案の詳細な説明】
【技術分野】
【０００１】
本考案は、鍵穴内の施錠部を鍵穴の入口（外部）から見えなくし、また、針金等による解錠操作を困難にすることで、当該錠に対応した専用の鍵以外のものでは解錠操作が極めて困難で、針金やドライバーなどの道具を使ったピッキング等による盗難の防止に大きく役立つ錠と鍵に関するものである。
【背景技術】
【０００２】
従来の錠は、図３に示すように、鍵穴１５の形態が直線状になっているため、鍵穴１５内の施錠部１６を外部から覗き見ることができ、針金その他のピッキング工具で外部から解錠操作されることが少なくなかった。また、従来の鍵１７についても直線状の形態をしており、模造され易く、施錠部の変形バリエーション数も少数に制約されるものであった。
【考案の開示】
【考案が解決しようとする課題】
【０００３】
従来の錠と鍵は、前記構造であったため、針金やドライバーなどの道具を使ったピッキング等の解錠が容易に行われるため、不法な解錠による盗難などの被害が絶えなかった。
本考案は、上記のようなピッキング等による不法な解錠の防止に役立つ錠と鍵を提供することを目的としている。
【課題を解決するための手段】
【０００４】
本考案の錠は、前記目的を達成するために、内部に施錠部１４を備えた筒状の外枠本体１３と、該外枠本体１３内に回転可能に収納され、前記施錠部１４に対応する施錠部４を有し、該施錠部４に達する鍵穴２を形成された回転体１とからなり、前記鍵穴２には、入口３から前記施錠部４に達するまでの間に、該入口３と施錠部４とを結ぶ直線に対して一方に湾曲膨出した曲線状湾曲凹壁面８と、該湾曲凹壁面８の膨出方向に突出する凸壁面５を有していることを特徴としている。
上記構成によれば、曲線状湾曲凹壁面８と凸壁面５によって鍵穴２内の施錠部４を鍵穴２の入口３（外部）から見えなくすることができるとともに、針金やドライバー及び模造鍵等の道具を使ったピッキング等による解錠操作を極めて困難にすることができる。即ち、当該錠に対応した専用の鍵以外のものでは解錠操作が極めて困難で、針金やドライバーなどの道具を使ったピッキング等による盗難の防止に大きく役立つ錠を提供することができる。また、鍵穴２の曲線状湾曲凹壁面８の曲がり度合を加減することにより、または、曲線の形状を変えることにより、錠の異なった種類を無限に数多く製作することができる。
【０００５】
また、本考案の鍵は、前記錠の回転体１の鍵穴２に挿入・抜脱可能とされ、前記施錠部４に対応した解錠用機能部１０を備えた鍵本体９からなり、該鍵本体９は、前記鍵穴２の曲線状湾曲凹壁面８に対応する曲線状の湾曲部分を備えていることを特徴としている。
この構成によれば、鍵本体９の曲線状の湾曲部分が存在するため、従来よりも模造され難く、湾曲部分の曲がり度合や形状を変化させることによって従来の施錠部だけの変形バリエーション数に比べて多種類を製作することができる。
また、前記錠の回転体１の鍵穴２は、前記入口３と前記施錠部４の手前までの間の両側壁面に、前記回転体１の回転軸線に対して互いに反対側に突出する凸壁面５，７を備え、これら両方の凸壁面５，７間の一方の壁面に前記曲線状湾曲凹壁面８の湾曲膨出方向と逆方向に湾曲膨出して幅広空間２１を形成する凹壁面６を形成してあることを特徴としている。
【０００６】
上記構成によれば、鍵穴２の入口３と施錠部４の手前までの間に幅広空間が形成してあるため、鍵の先端１１を錠の鍵穴２に差し込む初期の段階においては、鍵の先端１１が入口３の直後の幅広空間２１に向けて差し込まれるため、鍵本体９は鍵穴２の入口３を起点として左右に自由に振れ動かすことができ、これによって、湾曲した鍵本体９をほぼ真っ直ぐに差し込むことができる。そして、鍵本体９の先端１１が、やがて凹壁面６に接触する。これ以後は、鍵本体９が凹壁面６と鍵穴２の入口３とに先後２点で接触することになり、鍵本体９が左右に自由に振れ動くことを妨げて挿入角度を規制する。鍵本体９をさらに挿入することにより、該鍵本体９は、入口３に接触する後端側を起点として先端１１が凹壁面６の湾曲面に沿って凸壁面５の頂部まで案内されながら曲線状湾曲凹壁面８の湾曲膨出方向に振られて曲線状湾曲凹壁面８に接触する。それ以後、鍵本体９は、曲線状湾曲凹壁面８と鍵穴２の入口３との先後２点で接触して挿入角度が規制されたままで案内され、鍵本体９の先端１１が施錠部４に到達する。このように、幅広空間２１を形成してあることによって、鍵穴２への鍵本体９の挿入過程の初期の段階において挿入角度に規制を緩和することができ、鍵本体９の後端の柄部分１２の左右の横振れ幅を軽減することができ、曲線状の鍵であるにもかかわらず、直線的に真っ直ぐ差し込む操作に近い感覚で鍵を鍵穴２に差し込むことができる。
【０００７】
また、前記鍵穴２は、前記施錠部４の手前側で曲線状湾曲凹壁面８の途中から該曲線状湾曲凹壁面８の湾曲膨出方向と同方向に膨出するダミー空間２２が形成されていることを特徴としている。
上記構成によれば、鍵穴２に針金やピッキング工具等を挿入しても、それらの先端がダミー空間２２に入って惑わされ、目標とする施錠部４の位置に到着したのかどうかや施錠部４の位置そのものを確認することを困難とし、解錠操作を一層防止することができ、しかして、当該錠の専用鍵を挿入した際では、鍵本体９の湾曲形状と鍵穴２の湾曲形状とが対応させてあるため、ダミー空間２２に惑わされることなく曲線状湾曲凹壁面８に沿って施錠部４に確実に到達させることができる。
【０００８】
さらに、前記鍵穴（２）は、前記施錠部（４）の手前側で前記凸壁面５の途中から前記ダミー空間（２２）の反対側に膨出する第二ダミー空間（２３）が形成されていることを特徴としている。
上記構成によれば、鍵穴２に針金やピッキング工具等を挿入しても、それらの先端がダミー空間２２及び第二ダミー空間（２３）によっても惑わされ、さらに解錠操作を一層防止することができ、しかして、当該錠の専用鍵を挿入した際では、鍵本体９の湾曲形状と鍵穴２の湾曲形状とが対応させてあるため、ダミー空間２２に惑わされることなく曲線状湾曲凹壁面８に沿って施錠部４に確実に到達させることができる。
【考案の効果】
【０００９】
本考案によれば、ピッキング等による不法な解錠の防止に役立つ錠と鍵を提供することができ、防犯機能の向上が図れるとともに、解錠機能の変化に富む多種類の錠と鍵を製作することができる。
【考案を実施するための最良の形態】
【００１０】
以下、本考案の実施の形態を図面に基づいて説明する。図１及び図２は、本考案の錠の第１の実施形態を示しており、この第１の実施形態に示す錠は、図１及び図２に示すように、内部に施錠部１４を備えた筒状の外枠本体１３と、該外枠本体１３内に回転可能に収納され、前記施錠部１４に対応する施錠部４を有し、該施錠部４に達する鍵穴２を回転軸線方向に沿って形成された回転体１とからなり、前記鍵穴２は、入口３から前記施錠部４に達するまでの間に、該入口３と施錠部４とを結ぶ直線に対して一方に湾曲膨出した曲線状湾曲凹壁面８と、該湾曲凹壁面８の膨出方向に突出する凸壁面５を有している。
【００１１】
上記錠に適用する本考案の鍵は、図１及び図２に示すように、前記回転体１の鍵穴２に挿入・抜脱可能とされ、前記施錠部４に対応した解錠用機能部１０を先端側に備えた鍵本体９からなり、該鍵本体９は、前記鍵穴２の曲線状湾曲凹壁面８に対応する曲線状の湾曲部分を備えている。
なお、施錠部１４，４は、図２に示すように、公知のピン・タンブラータイプのものを例示しており、複数のピンが、各々独立して回転体１と外枠本体１３の内面のピン穴に跨って回転体１の径方向に移動可能に、しかも、回転体１の軸線方向に一列で配列され、外枠本体１３側から回転体１に向けてスプリング（図示省略）で弾圧されて回転体１が外枠本体１３と相対的回転を防止した状態が保持されている。各ピンは、同じ長さとされているが、長さ方向に２分割され、それぞれの分割位置が異ならせて形成されており、鍵穴２に鍵本体９を差し込むことにより、鍵本体９の先端付近に形成してある解錠用機能部１０によって各ピンの先端（内側端）が前記スプリングの弾力に抗して外枠本体１３側へ押し戻され、各ピンの分割位置が回転体１の外周面と外枠本体１３の内周面との境界位置に一斉に揃えられ、これによって、鍵の柄部分１２を回して回転体１を外枠本体１３に対して回転させ、この回転体１の後端（鍵穴２の奥側端部）に設けられているシリンダカム（図示省略）を回してラッチ錠のロックを解除し、ドア、引き戸、扉など開閉部材の開閉操作を可能とするように構成されているものである。
【００１２】
また、前記鍵穴２には、図１に示すように、前記入口３と前記施錠部４の手前までの間の両側壁面に、前記回転体１の回転軸線に対して互いに反対側に突出する凸壁面５、７を備え、これら両方の凸壁面５、７間の一方の壁面に前記曲線状湾曲凹壁面８の湾曲膨出方向と逆方向に湾曲膨出する凹壁面６を形成してある。
本考案の第１の実施形態の錠は、上記構成から成るもので、次に解錠操作を図５に基づいて説明する。
先ず、図５（ａ）に示すように、鍵穴２の入口３から鍵本体９の先端１１を差し込むと、該先端１１が、鍵穴２の両側壁面のいずれか一方に接触するまでは、鍵本体９の振れを規制するのは、鍵穴２の入口３の１点だけであるため、左右いずれの方向にも自由に振れ動かすことができ、曲線状の鍵本体９であるにもかかわらず、真っ直ぐにほぼ直線状に挿入することができる。やがて図５（ｂ）の如く鍵本体９の先端１１が凹壁面６に接触し、それ以後、鍵本体９は、凹壁面６と鍵穴２の入口３とに先後２点で接触することになり、挿入角度が規制される。この規制下で鍵本体９がさらに挿入されると、先端１１が凹壁面６の湾曲面に沿って図５（ｃ）に示す如く凸壁面５の頂部まで案内される。この間、鍵本体９は鍵穴２の入口３を起点として先端１１が曲線状湾曲凹壁面８の湾曲膨出方向に振れ動かされる。これ以後、鍵本体９は、曲線状湾曲凹壁面８と鍵穴２の入口３とに先後２点で接触して挿入角度が規制され、この状態を保持して図５（ｄ）から図５（ｅ）に示す如く先端１１が挿入端まで挿入され、鍵本体９の先端１１が回転体１の施錠部４に到達する。これにより、施錠部４の各ピンが鍵本体９の解錠用機能部１０によって外枠本体１３側に押し戻され、各ピンの分割位置が回転体１の外周面と外枠本体１３の内周面との境界位置に一斉に揃えられ、回転体１を回転させることが可能な状態とされる。従って、この状態で鍵本体９の後端の柄部分１２を回転させることにより、回転体１が回転し、この回転体１に設けられるシリンダカムを介してラッチ錠のロックが解除され、ドアなどの開放操作が可能とされる。
【００１３】
上記動作は、上記錠に専用の鍵を使用して解錠操作した場合のものであるが、このような専用の鍵ではなく、針金やドライバー及び模造鍵などの道具を使用して不正に解錠操作しようとした場合においては、回転体１の鍵穴２が、入口３から前記施錠部４に達するまでの間に、該入口３と施錠部４とを結ぶ直線に対して一方に湾曲膨出した曲線状湾曲凹壁面８と、該湾曲凹壁面８の膨出方向に突出する凸壁面５を有しているため、鍵穴２内の施錠部４を鍵穴２の入口３（外部）から見えなくすることができるとともに、針金やドライバー及び模造鍵等の道具を途中で挿入不能とし施錠部４に達することを防止することができ、ピッキング等による解錠操作を極めて困難にすることができる。
【００１４】
また、図４は、本考案の第２の実施形態を示すもので、回転体１に形成する鍵穴２の曲線状湾曲凹壁面８の湾曲膨出方向を図１に示した第１の実施形態と逆にしたもので、それに伴って、鍵本体９の湾曲部の膨出方向も逆としたものである。他の構成は、第１の実施形態と同様であり、解錠操作時の動作も前記した第１の実施形態と同様である。
また、図６は、本考案の第３の実施形態を示すもので、前記第１の実施形態に比べて、回転体１の鍵穴２の曲線状湾曲凹壁面８の途中で施錠部４の手前側から施錠部４にかけて曲線状湾曲凹壁面８の湾曲膨出方向と同方向に膨出するダミー空間２２を形成したもので、他の構成は前記第１の実施形態と同様である。
【００１５】
上記第３の実施形態の構成によれば、鍵穴２に針金やピッキング工具等を挿入しても、それらの先端がダミー空間２２に入って惑わされ、目標とする施錠部４の位置に到着したのかどうかや施錠部４の位置そのものを確認することを困難とし、解錠操作を一層防止することができ、しかして、当該錠の専用鍵を挿入した際では、鍵本体９の湾曲形状と鍵穴２の湾曲形状とが対応させてあるため、ダミー空間２２に惑わされることなく曲線状湾曲凹壁面８に沿って施錠部４に確実に到達させることができる。
さらに、図７は、本考案の第４の実施形態を示すもので、上記第３の実施形態のダミー空間２２に加えて、第二ダミー空間２３を形成したもので、他の構成は前記第３の実施形態と同様である。
【００１６】
この第二ダミー空間２３は、鍵穴（２）の施錠部（４）の手前側において、凸壁面５の途中からダミー空間（２２）の反対側に膨出するように形成されている。
上記第４の実施形態の構成によれば、鍵穴２に針金やピッキング工具等を挿入しても、それらの先端がダミー空間２２に加えて第二ダミー空間２３によっても惑わされ、目標とする施錠部４の位置に到着し難く解錠操作を一層防止することができる。一方、当該錠の専用鍵を挿入した際では、鍵本体９の湾曲形状と鍵穴２の湾曲形状とが対応させてあるため、ダミー空間２２及び第二ダミー空間２３に惑わされることなく曲線状湾曲凹壁面８に沿って施錠部４に確実に到達させることができる。
【図面の簡単な説明】
【００１７】
【図１】本考案の第１の実施形態の錠と鍵の要部概略構造を示す断面図である。
【図２】本考案の第１の実施形態の錠と鍵の要部概略構造を示す一部破断斜視図である。
【図３】従来の錠と鍵の要部概略構造を示す断面図である。
【図４】本考案の第２の実施形態の錠と鍵の要部概略構造を示す断面図である。
【図５】（ａ）〜（ｅ）は本考案の第１の実施形態の解錠操作時、の動作順序説明図である。
【図６】本考案の第３の実施形態の錠と鍵の要部概略構造を示す断面図である。
【図７】本考案の第４の実施形態の錠と鍵の要部概略構造を示す断面図である。
【符号の説明】
【００１８】
１    回転体
２    鍵穴
３    入口
４    回転体の施錠部
５    凸壁面
６    凹壁面
７    凸壁面
８    曲線状湾曲凹壁面
９    鍵本体
１０  解錠用機能部
１１  鍵の先端
１２  鍵の柄部分
１３  外枠本体
１４  外枠本体の施錠部
２１  幅広空間
２２  ダミー空間
２３  第二ダミー空間
【図１】
0003111735.tif 000003
【図２】
0003111735.tif 000004
【図３】
0003111735.tif 000005
【図４】
0003111735.tif 000006
【図５】
0003111735.tif 000007
【図６】
0003111735.tif 000008
【図７】
0003111735.tif 000009
【手続補正書】
【提出日】平成17年1月28日(2005.1.28)
【手続補正１】
【補正対象書類名】実用新案登録請求の範囲
【補正対象項目名】請求項２
【補正方法】変更
【補正の内容】
【請求項２】
前記請求項１記載の錠の回転体（１）の鍵穴（２）に挿入・抜脱可能とされ、前記請求項１記載の錠の施錠部（４）に対応した解錠用機能部（１０）を備えた鍵本体（９）からなり、該鍵本体（９）は、前記鍵穴（２）の曲線状湾曲凹壁面（８）に対応する曲線状の湾曲部分を備えていることを特徴とする鍵。 
【手続補正書】
【提出日】平成17年4月5日(2005.4.5)
【手続補正１】
【補正対象書類名】実用新案登録請求の範囲
【補正対象項目名】請求項２
【補正方法】変更
【補正の内容】
【請求項２】
内部に施錠部（１４）を備えた筒状の外枠本体（１３）と、該外枠本体（１３）内に回転可能に収納され、前記施錠部（１４）に対応する施錠部（４）を有し、該施錠部（４）に達する鍵穴（２）を形成された回転体（１）とからなり、前記鍵穴（２）には、入口（３）から前記施錠部（４）に達するまでの間に、該入口（３）と施錠部（４）とを結ぶ直線に対して一方に湾曲膨出した曲線状湾曲凹壁面（８）と、該湾曲凹壁面（８）の膨出方向に突出する凸壁面（５）を有している錠において、前記回転体（１）の鍵穴（２）に挿入・抜脱可能とされ、前記施錠部（４）に対応した解錠用機能部（１０）を備えた鍵本体（９）からなり、該鍵本体（９）は、前記鍵穴（２）の曲線状湾曲凹壁面（８）に対応する曲線状の湾曲部分を備えていることを特徴とする鍵。